(57)【要約】【課題】潤滑剤としてモリブテンやタングステンの粉末を付着して使用していたのでコストが高くなり、塗布された潤滑剤が他の部品に付着して汚したりし、またノック操作の繰り返しによって安定した芯の保持及び繰り出し操作が困難となった。【解決手段】軸筒１内に摺動可能に設けられたシャープペンシルの芯を繰り出す芯繰り出し機構において、この芯繰り出し機構を構成するプラスチック製の芯繰り出しチャック４と金属製のチャックリング５との接触可能部に防錆ワックス５１を塗布してなる。【選択図】        図１
2004223903.tif 000002
【特許請求の範囲】
【請求項１】
軸筒内に摺動可能に設けられ、シャープペンシルの芯を繰り出す芯繰り出し機構において、この芯繰り出し機構を構成するプラスチック製の繰り出しチャックと金属製のチャックリングとの接触可能部に防錆ワックスを塗布してなることを特徴とするシャープペンシルの芯繰り出し機構。
【請求項２】
軸筒内を摺動する芯タンクと、この芯タンクに直接または間接に接続されたプラスチック製の芯繰り出しチャックと、この繰り出しチャックのチャック部に遊嵌された金属製のチャックリングと、上記芯繰り出しチャックの外側に設けられ先部に内フランジを備えたスリーブと、このスリーブの内フランジと芯タンクとの間に設けられたチャックスプリングとから構成されてなり、上記チャックとチャックリングとの接触可能部に防錆ワックスを塗布してなることを特徴とするシャープペンシルの芯繰り出し機構。
【請求項３】
前記防錆ワックスが、乳化性ワックス１５〜２０重量％，イオン交換水７５〜８２．５重量％，エタノール２．２５〜４．５重量％およびベンゾトリアゾール０．２５〜０．５重量％とからなる請求項１もしくは２に記載のシャープペンシルの芯繰り出し機構。
【発明の詳細な説明】
【０００１】
【発明の属する技術分野】
この発明は、プラチャックを前進させて芯を繰り出すシャープペンシルにおいて、チャックの芯保持力および金属チャックリングの防錆および潤滑効果を長期にわたって維持できるようにし、芯繰り出し時に軽快なノックと安定した芯送りができるようにしたシャープペンシルの芯繰り出し機構に関する。
【０００２】
【従来の技術】
従来、金属チャックには、そのチャックの開閉のために金属チャックリングを使用していた。そして、潤滑剤としてモリブテンやタングステンの粉末を付着して使用していたが、これらはコスト高となるという不都合があった。（例えば特許文献１参照）他方、チャックを安価なプラスチックで作製して、これに金属製のチャックリングを用いた場合には、ノック操作を繰り返して行うと、比較的軟らかいプラチャックが摩耗して芯繰り出し機構が作動しなくなるおそれがあった。
【０００３】
【特許文献１】
実公平３−３４３５号公報（第２頁、第３頁、図２、図４）
【０００４】
【発明が解決しようとする課題】
そこで、この発明は上記のような従来の欠点をを解消したものであって、防錆および潤滑機能を低下させることなしに、製品原価を下げたシャープペンシルの芯繰り出し機構を提供することを目的とする。
【０００５】
さらに、この発明によれば、チャックとチャックリングとを異質の材質で構成しても、芯繰り出し時に軽快なノックと安定した芯送りができるようにして、芯繰り出し動作を長期間にわたって確実にしたシャープペンシルの芯繰り出し機構を提供することを目的とする。
【０００６】
【課題を解決するための手段】
上記目的を達成するために、この発明のシャープペンシルは、軸筒内に摺動可能に設けられ、シャープペンシルの芯を繰り出す芯繰り出し機構において、この芯繰り出し機構を構成するプラスチック製の繰り出しチャックと金属製のチャックリングとの接触可能部に防錆ワックスを塗布してなる。
【０００７】
【発明の実施の形態】
以下、添付図面を用いてこの発明の実施の形態によるシャープペンシルについて詳述する。
【０００８】
図１は、この発明の実施の形態によるシャープペンシルの芯繰り出し機構を示し、先部に先具２が螺合により取り付けられた軸筒１内を摺動する芯タンク３と、この芯タンク３に直接に接続された芯繰り出し用のプラスチック製のチャック４と、この繰り出しチャック４のチャック部４１に遊嵌された金属製のチャックリング５と、上記芯繰り出しチャック４の外側に設けられ先部に内フランジ７１を備えたスリーブ７と、このスリーブ７の内フランジ７１と芯タンク３との間に設けられたチャックスプリング６とから構成されてなり、上記チャックリング５とチャック４との接触可能部に防錆ワックス５１を塗布してなる。
【０００９】
さらに、スリーブ７の後端と軸筒１の係止リブ１１との間には過大筆圧吸収用のクッションスプリング８が設けられている。そして、チャック４の前方に離間して、スライダ９を有するチップ９１が摺動自在可能に設けられている。なお、図中符号１０は、軸筒１の把持部に装着されたグリップカバーを示す。
【００１０】
さらに、軸筒１の内部には筆記芯が充填された芯タンク３が摺動自在に設けられている。この芯タンク３の先端取付部内には、筆記芯の繰り出し用チャック４が圧入・固設されている。そして、このチャック４の先端のチャック部４１には、チャックリング５が遊嵌されている。
【００１１】
また、チャック４の外側には先端からやや離間した部位に内フランジ７１を備えたスリーブ７が設けられている。そして、このスリーブ７内には後端が芯タンク３と当接したチャックスプリング６が装着され、チャック４および芯タンク３を常時後方に付勢している。また、チャック４の前方には筆記芯を保持するため先端チップ９１と一体のスライダ９が先具２内を摺動自在に設けられている。
【００１２】
次に、この発明の芯繰り出し機構を備えたシャープペンシルの動作について説明する。
まず、使用に際してノックボタン等の操作部材を操作して、芯タンク３と共にチャック４を前進せしめる。すると、チャック４に遊嵌されたチャックリング５も共に前進するが、先具２内側の段部２１にチャック４の先端が当接すると、チャックリング５は前進を阻止されてその場所に停止する。
【００１３】
しかしながら、チャック４はさらに前進せしめられると、チャックリング５から開放されて芯が自重で落下する。なお、前端のスライダ９に到達した芯は、ノックを繰り返されることによって、芯を挟持した状態で芯を繰り出すので、芯は先端のスライダ９内を通ってチップ９１の開口から突出せしめられる。
【００１４】
なお、この操作過程で、プラスチック製のチャック４のチャック部４１の外周に金属製のチャックリング５が嵌合したり、外れたりするので、このチャックリング５に防錆ワックス５１を塗布しておくことによって、スムーズな動作が得られる。即ち、この防錆ワックス５１によって、両部材４、５の嵌合動作が容易かつ確実に行われると共に、プラスチック製のチャック４がノック操作の繰り返しによっても摩耗せず、かつ金属製のチャックリング５が錆び等の経時的劣化から保護されるという利点がある。
【００１５】
このようなチャックリング５への防錆ワックス５１の塗布は、一定量（例えば１０万個）のリングを防錆ワックス５１に浸漬させた後、遠心分離機で温風遠心処理を行う。その後、処理した金属のチャックリング５を用いてプラスチックチャック４と組み合わせた後シャープペンシルの芯繰り出し機構を完成する。
【００１６】
以下、上記発明の実施の形態による芯繰り出し機構を備えたシャープペンシルの動作について説明する。まず、軸筒１内を長手方向に摺動する芯タンク３と、チャックスプリング６に抗してスライダ９を介して芯タンク３が前進せしめられる。そこで、この芯タンク３に連結されたチャック４も前進せしめられる。このチャック４の前進過程で、チャック４に遊嵌されたチャックリング５が先具２の内壁の係止用の段部２１に当接してチャック４から外れ、チャック４が開放される。その結果、筆記芯は自重で落下・前進せしめられる。
【００１７】
なお、ノックを終えると、チャックスプリング６の付勢力によってチャック４が後退する。この後退過程において、チャックリング５がチャック４に嵌められて、チャック４を閉成するので筆記芯が保持されて筆記が可能となる。この場合、チャックリング５には防錆ワックス５１が塗布されているので、スムーズな動作が得られる。
【００１８】
なお、上記発明の実施の形態によるシャープペンシルは、後端ノック式のものについて説明したが、この発明はサイドノック式等にも適用があり、ノックの形式は問わないものである。さらに、この発明は、芯タンクを消しゴム繰り出し機構を介すことなく、直接ノックするものにも適用できることは勿論である。さらに、チャックリングへの防錆ワックスの塗布は、その全体に塗布しても良く、また部分的であっても良い。
【００１９】
前記防錆ワックスの好適な配合率は、乳化性ワックス１５〜２０重量％，イオン交換水７５〜８２．５重量％，エタノール２．２５〜４．５重量％およびベンゾトリアゾール０．２５〜０．５重量％である。そして、防錆ワックスの実施例としては、次のとおりである。
2004223903.tif 000003
【００２０】
また、防錆ワックス処理の金属チャックリングと未処理の金属チャックリングとの比較として、シャープペンシルのノック回数と芯保持力テストを行って前者の性能を表１に示すと次のとおりである。なお、鉛芯はΦ０．５７ｍｍを使用した。
【００２１】
【表１】
2004223903.tif 000004
上記表１のテストの結果、防錆ワックス処理の金属チャックリングでは、ノック操作数が１０万回までは作動に問題がなかった。一方、防錆ワックス未処理のチャックリングを使用した場合は、５００ｇ以下の保持力であり、錆びたチャックリングを使用した場合でも５００ｇ以下の芯保持力しかなかった。
【００２２】
【発明の効果】
この発明は、上記した通りの構成であるので、シャープペンシルの芯繰り出し機構において、プラスチック製のチャックの芯保持のために用いられる金属製のチャックリングの防錆と潤滑性とを向上せしめると共に、ノック操作を繰り返し行っても、プラスチック製のチャックを摩耗することなく、筆記保証期間が大幅にアップする効果がある。
【００２３】
さらに、この発明によれば、チャックリングに塗布された防錆ワックスは、他の部品にに付着して汚すことなく、良好なノック作動が得られる効果もある。
【００２４】
またさらに、この発明によれば、コストが極めて安価なシャープペンシルの芯繰り出し機構を提供できるという効果がある。
【図面の簡単な説明】
【図１】この発明の実施の形態によるシャープペンシルの要部縦断面図である。
【符号の説明】
１  軸筒
１１  係止リブ
２  先具
２１  段部
３  芯タンク
４  チャック
４１  チャック部
５  チャックリング
５１  防錆ワックス
６  チャックスプリング
７  スリーブ
７１  内フランジ
８  クッションスプリング
９  スライダ
９１  先端チップ
１０  グリップカバー
【図１】
2004223903.tif 000005